(57)【要約】【課題】落下等の衝撃でカバーが変形することを抑制する印刷装置を提供する。【解決手段】印刷装置１は、筐体１０の内部のうち印刷媒体が巻回されたロールを収容する収容部４０、印刷媒体に印刷を行うサーマルヘッドを有する。筐体１０は、収容部４０を開放する開口部２Ａを有する第１カバー２、第１カバー２の開口部２Ａを開閉可能に覆う第２カバー３、第１カバー２の開口部２Ａの少なくとも一部に設けられ、第２カバー３が閉じた閉塞状態で第２カバー３の内壁に当接可能な第１当接部５を備える。閉塞状態で、前側に向かう方向の力が第１カバー２に作用したときに、第１カバー２の開口部２Ａが左右方向の外側に変形することを、第１当接部５が第２カバー３の内壁に当接することによって抑制する。【選択図】図２
2018034357.tif 000002
【特許請求の範囲】
【請求項１】
箱状の筐体と、
前記筐体の内部のうち、第１方向略中央から前記第１方向の一方側の端部に亘って形成され、印刷媒体が巻回されたロールを収容する収容部と、
前記印刷媒体に印刷を行う印刷機構と
を有する印刷装置であって、
前記筐体は、
前記収容部を開放する開口部を有する第１カバーと、
前記第１カバーの前記開口部を開閉可能に覆う第２カバーと、
前記第１カバーの前記開口部の少なくとも一部に設けられ、前記第２カバーが閉じた閉塞状態で前記第２カバーの内壁に当接可能な第１当接部と
を備え、
前記閉塞状態で、前記第１方向の他方側に向かう方向の力が前記第１カバーに作用したときに、前記第１カバーの前記開口部が前記第１方向と直交する第２方向の外側に変形することを、前記第１当接部が前記第２カバーの内壁に当接することによって抑制することを特徴とする印刷装置。
【請求項２】
前記第１当接部は、
前記開口部のうち、前記第１方向略中央よりも、前記第１方向の一方側に設けられたことを特徴とする請求項１に記載の印刷装置。
【請求項３】
前記開口部は、前記第１方向及び前記第２方向と直交する第３方向から見たときに略矩形状であり、
前記第１当接部は、
前記開口部のうち前記第２方向の一方側及び他方側にそれぞれ設けられたことを特徴とする請求項１又は２に記載の印刷装置。
【請求項４】
前記第２カバーは、
板状の蓋板部と、
前記蓋板部のうち前記第２方向の両側に接続し、前記蓋板部と交差する方向に延びる側板部と
を有し、
前記第１当接部は、前記閉塞状態において、前記第１カバーから前記第２カバー側に第１長さ分突出し、
前記第２カバーの前記側板部は、前記閉塞状態において、前記蓋板部から前記第１カバー側に第２長さ分延び、
前記第１長さは、前記第２長さの略半分であることを特徴とする請求項１から３の何れかに記載の印刷装置。
【請求項５】
前記第１当接部のうち、前記第１カバー側と反対側が面取りされたことを特徴とする請求項１から４の何れかに記載の印刷装置。
【請求項６】
前記印刷機構は、
感熱ヘッドと、
前記感熱ヘッドに前記印刷媒体を押し付けるプラテンと、
前記プラテンを回転可能に支持するプラテン軸受と、
前記第２カバーに設けられ、前記プラテン軸受を保持するプラテンホルダと、
前記第２カバーに設けられ、前記第１カバーに設けられた被当接部に対して前記第１方向の他方側から当接可能な第２当接部と
を更に備え、
前記閉塞状態で、前記第２カバーに前記第１方向の前記一方側に向かう方向の力が作用したときに、前記第２カバー及び前記プラテンホルダが前記第１方向の前記一方側に移動することを、前記第２当接部が前記被当接部に対して前記第１方向の前記他方側から当接することによって抑制することを特徴とする請求項１から５の何れかに記載の印刷装置。
【請求項７】
前記被当接部が前記第１当接部であることを特徴とする請求項６に記載の印刷装置。
【請求項８】
前記第２当接部は、前記第２カバーの前記第２方向の両側に設けられたことを特徴とする請求項６又は７に記載の印刷装置。
【発明の詳細な説明】
【技術分野】
【０００１】
本発明は、印刷装置に関する。
【背景技術】
【０００２】
携帯可能な印刷装置が提案されている。特許文献１は、ベルトクリップを備えた印刷装置を開示する。例えばユーザは、ベルトクリップを腰ベルトに装着することによって、印刷装置を携帯して使用できる。
【先行技術文献】
【特許文献】
【０００３】
【特許文献１】特開２０１５−１６０４２７号公報
【発明の概要】
【発明が解決しようとする課題】
【０００４】
印刷装置が着脱される際、ユーザが誤って印刷装置を落下させてしまう場合がある。この場合、落下時の印刷装置の高さによっては、落下の衝撃で、印刷装置のカバーが変形する可能性がある。カバーが変形した場合、例えば、カバーの開閉を行う操作部材の操作等に問題が生じる可能性があり、好ましくない。
【０００５】
本発明の目的は、落下等の衝撃でカバーが変形することを抑制する印刷装置を提供することである。
【課題を解決するための手段】
【０００６】
本発明に係る印刷装置は、箱状の筐体と、前記筐体の内部のうち、第１方向略中央から前記第１方向の一方側の端部に亘って形成され、印刷媒体が巻回されたロールを収容する収容部と、前記印刷媒体に印刷を行う印刷機構とを有する印刷装置であって、前記筐体は、前記収容部を開放する開口部を有する第１カバーと、前記第１カバーの前記開口部を開閉可能に覆う第２カバーと、前記第１カバーの前記開口部の少なくとも一部に設けられ、前記第２カバーが閉じた閉塞状態で前記第２カバーの内壁に当接可能な第１当接部とを備え、前記閉塞状態で、前記第１方向の他方側に向かう方向の力が前記第１カバーに作用したときに、前記第１カバーの前記開口部が前記第１方向と直交する第２方向の外側に変形することを、前記第１当接部が前記第２カバーの内壁に当接することによって抑制することを特徴とする。
【０００７】
印刷装置では、第１カバーに第１当接部が設けられる。第１当接部は、閉塞状態で第２カバーの内壁に当接可能である。ここで、印刷装置が第１方向の一方側を下側に向けた状態で落下した場合、落下の衝撃で、第１方向の他方側に向かう方向の力が第１カバーに作用する場合がある。この場合、第１カバーの開口部は、第２方向の外側に変形しようとする。これに対し、印刷装置では、第１当接部が第２カバーの内壁に当接することによって、第１カバーの開口部の変形が抑制される。従って、印刷装置は、落下の衝撃で第１カバーが変形することを、第１当接部によって抑制できる。
【０００８】
本発明において、前記第１当接部は、前記開口部のうち、前記第１方向略中央よりも、前記第１方向の一方側に設けられてもよい。第１方向の他方側に向かう方向の力が第１カバーに作用した場合、開口部のうち第１方向の一方側の方が、強度が弱く変形しやすい。これに対し、第１当接部は、開口部のうち第１方向の略中央よりも第１方向の一方側に設けられる。このため、印刷装置は、より変形しやすい開口部の部位が変形することを、第１当接部によって抑制できる。
【０００９】
本発明において、前記開口部は、前記第１方向及び前記第２方向と直交する第３方向から見たときに略矩形状であり、前記第１当接部は、前記開口部のうち前記第２方向の一方側及び他方側にそれぞれ設けられてもよい。この場合、第１当接部は、開口部のうち第２方向の両側に設けられる。従って、印刷装置は、第１方向の他方側に向かう方向の力が第１カバーに作用した場合において、第１カバーの開口部の第２方向の両側が外側に変形することを、２つの第１当接部によって効果的に抑制できる。
【００１０】
本発明において、前記第２カバーは、板状の蓋板部と、前記蓋板部のうち前記第２方向の両側に接続し、前記蓋板部と交差する方向に延びる側板部とを有し、前記第１当接部は、前記閉塞状態において、前記第１カバーから前記第２カバー側に第１長さ分突出し、前記第２カバーの前記側板部は、前記閉塞状態において、前記蓋板部から前記第１カバー側に第２長さ分延び、前記第１長さは、前記第２長さの略半分であってもよい。この場合、印刷装置は、第２カバーの側板部の第２長さの略半分の部分に、第１当接部を当接させることができる。このため、側板部において第１当接部が当接する部分の面積を大きくできる。従って、印刷装置は、第１方向の他方側に向かう方向の力が第１カバーに作用した場合において、第１カバーの開口部が第２方向の外側に変形することを、第１当接部と側板部との当接部分によって効果的に抑制できる。
【００１１】
本発明において、前記第１当接部のうち、前記第１カバー側と反対側が面取りされてもよい。この場合、開放状態にある第２カバーを閉じるときに、第２カバーは、第１当接部の面取り部分によって案内される。従って、印刷装置は、開放状態にある第２カバーを、第１当接部に引っ掛かることなくスムーズに閉じることができる。
【００１２】
本発明において、前記印刷機構は、感熱ヘッドと、前記感熱ヘッドに前記印刷媒体を押し付けるプラテンと、前記プラテンを回転可能に支持するプラテン軸受と、前記第２カバーに設けられ、前記プラテン軸受を保持するプラテンホルダと、前記第２カバーに設けられ、前記第１カバーに設けられた被当接部に対して前記第１方向の他方側から当接可能な第２当接部とを更に備え、前記閉塞状態で、前記第２カバーに前記第１方向の前記一方側に向かう方向の力が作用したときに、前記第２カバー及び前記プラテンホルダが前記第１方向の前記一方側に移動することを、前記第２当接部が前記被当接部に対して前記第１方向の前記他方側から当接することによって抑制してもよい。印刷装置において、プラテンホルダが第１方向の一方側に移動した場合、プラテンホルダからプラテンが脱離する可能性がある。これに対し、印刷装置では、第２当接部が被当接部に対して第１方向の他方側から当接することによって、第２カバー及びプラテンホルダが第１方向の一方側に移動することを抑制できる。従って、印刷装置は、プラテンホルダからプラテンが外れることを、第２当接部及び被当接部によって抑制できる。
【００１３】
本発明において、前記被当接部が前記第１当接部であってもよい。この場合、印刷装置は、第２当接部が当接する対象として、第１当接部を利用できる。従って、印刷装置は、被当接部に相当する部材を新たに設ける必要が無いので、構成を単純化できる。
【００１４】
本発明において、前記第２当接部は、前記第２カバーの前記第２方向の両側に設けられてもよい。この場合、印刷装置は、第２カバー及びプラテンホルダが第１方向の一方側に移動することを、第２方向の両側で抑制できる。従って、印刷装置は、第２カバー及びプラテンホルダが第１方向の一方側に移動することを適切に抑制することによって、プラテンホルダがプラテンから外れることを効果的に抑制できる。
【図面の簡単な説明】
【００１５】
【図１】印刷装置１（閉塞状態）の斜視図である。
【図２】印刷装置１（開放状態）の斜視図である。
【図３】印刷装置１（開放状態）を上側から見た図である。
【図４】印刷装置１の斜視図（第２カバー３を除く）である。
【図５】図１のＡ−Ａ線を矢印方向から見た断面図（第２カバー３を除く）である。
【図６】第２カバー３の斜視図である。
【図７】第２カバー３を右斜め前側から見た図である。
【図８】第２カバー３を下側から見た図である。
【図９】図７の一部を拡大した図である。
【図１０】印刷装置１（第２カバー３を省略した状態）の斜視図である。
【図１１】図１のＡ−Ａ線を矢印方向から見た断面図である。
【図１２】図１のＢ−Ｂ線を矢印方向から見た断面図である。
【図１３】印刷装置１の落下時に作用する力Ｆ１１、Ｆ１２、Ｆ２１を示す図である。
【図１４】第１当接部５が設けられない場合において、印刷装置１の右壁部２３が変形する様子を示す図である。
【発明を実施するための形態】
【００１６】
＜印刷装置１＞
以下、本発明の実施形態について、図面を参照して説明する。印刷装置１は、印刷媒体（感熱紙）に印刷を行うことが可能な感熱式の印刷装置である。印刷装置１は、電池駆動が可能である。例えば印刷装置１は、非図示のベルトクリップを介してベルトに装着されることによって、作業中のユーザに携帯されて使用される。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。外部端末は汎用のパーソナルコンピュータ（ＰＣ）である。図１の右下側、左上側、右上側、左下側、上側、及び下側を、それぞれ、印刷装置１の右側、左側、後側、前側、上側、及び下側と定義する。
【００１７】
図１から図３に示すように、印刷装置１は筐体１０を備える。筐体１０は、前後方向に長い略直方体の箱状を有する。筐体１０は、第１カバー２及び第２カバー３を有する。
【００１８】
＜第１カバー２＞
第１カバー２は、筐体１０の前側、後側、左側、右側、下側、及び、上側のうち前後方向略中央から前側の各壁部を有する。図１、図２に示すように、前側の壁部（以下、「前壁部２２」という。）に、表示部２２Ｄ及びスイッチ２２Ｂが設けられる。表示部２２Ｄは、印刷媒体に印刷されるキャラクタや設定情報等を表示可能である。スイッチ２２Ｂは、印刷装置１の各種動作の指示を入力可能である。右側の壁部（以下、「右壁部２３」という。）に、レバー穴２３Ｈ及び電池保持部２３Ｂが設けられる。レバー穴２３Ｈは、上下方向に延びる矩形状の貫通穴である。レバー２３Ｌは、レバー穴２３Ｈから右側に突出する。レバー２３Ｌは、レバー穴２３Ｈに沿って上下方向に移動可能である。レバー２３Ｌは、後述する第２カバー３の開閉を切り替える。電池保持部２３Ｂは、印刷装置１の電源となる電池を収容し、且つ、収容された電池を保持する。
【００１９】
上側の壁部（以下、「上壁部２１」という。）の後側の端部２１Ａの下側に、非図示のメインシャーシが配置される。メインシャーシは、非図示のモータ等を支持する。又、メインシャーシは、レバー２３Ｌを上下移動可能に支持する。図４に示すように、メインシャーシは、上壁部２１の端部２１Ａから下側に向けて延びる内壁部２７を有する。内壁部２７のうち、端部２１Ａの下側に、切断部２１Ｃが設けられる。切断部２１Ｃは、印刷媒体のうち印刷された部分を切り離すことが可能な刃である。切断部２１Ｃの下側に、サーマルヘッド２１Ｐが設けられる。サーマルヘッド２１Ｐは、印刷媒体を加熱することによってキャラクタ等を印刷する。切断部２１Ｃ及びサーマルヘッド２１Ｐは、左右方向に延びる。
【００２０】
メインシャーシは、支持部７を更に有する。支持部７は、内壁部２７の右側の端部から後側に向けて延びる支持部７Ａ、及び、内壁部２７の左側の端部から後側に向けて延びる支持部７Ｂを有する。支持部７は、後述する規制機構９を支持する。支持部７の詳細は後述する。図３に示すように、メインシャーシは、支持部７Ｂの前側にギア７０を回転可能に支持する。ギア７０は平歯車である。ギア７０の回転軸は左右方向に延びる。ギア７０は、メインシャーシに支持されたモータによって回転する。
【００２１】
図４に示すように、右壁部２３の上側の端部のうち、上壁部２１よりも後側の部分を、「端部２３Ａ」という。端部２３Ａは、上壁部２１の端部２１Ａの右側の端部から後側に直線状に延び、下側に湾曲して下側に延びる。以下、端部２３Ａのうち湾曲する部分を「湾曲部２３１」という。端部２３Ａは、湾曲部２３１の下側の端部で後側に曲折し、後側に向けて延びる。湾曲部２３１は、端部２３Ａの前後方向略中央よりも後側に配置される。筐体１０の左側の壁部（以下、「左壁部２４」という。）の上側の端部のうち、上壁部２１よりも後側の部分を、「端部２４Ａ」という。端部２４Ａは、端部２３Ａと同一形状を有する。端部２４Ａは、湾曲部２３１に対応する湾曲部２４１を有する。
【００２２】
筐体１０の後側の壁部（以下、「後壁部２５」という。）の上側の端部２５Ａは、端部２３Ａ、２４Ａのそれぞれの後側の端部の間に亘って、左右方向に直線状に延びる。壁部２５には、端部２５Ａよりも上側に突出する２つの支持部２５１が設けられる。一方側の支持部２５１は、端部２５Ａの右側の端部近傍から上側に突出し、他方側の支持部２５１は、端部２５Ａの左側の端部近傍から上側に突出する。各支持部２５１は、左右方向に延びる軸部２５２を支持する。各軸部２５２は、対応する支持部２５１から内側に向けて延びる。各軸部２５２にはばね２５３が装着される。
【００２３】
端部２１Ａ、２３Ａ、２４Ａ、２５Ａによって囲まれる部分は、開口部２Ａを形成する。開口部２Ａは、第１カバー２の前後方向略中央から後側の端部までの上側の部分に形成される。図３に示すように、開口部２Ａを上側から見たときの形状は、端部２１Ａ、２３Ａ、２４Ａ、２５Ａを各辺として有する略矩形状である。開口部２Ａは、第１カバー２内の収容部４０を開放する。収容部４０は、筐体１０の内部のうち、前後方向略中央から後側の端部に亘って形成される。収容部４０は、内壁部２７、右壁部２３、左壁部２４、後壁部２５、及び、筐体１０の下側の壁部で囲まれた空間である。収容部４０にはホルダ４が固定される。ホルダ４は、印刷媒体が巻回された非図示のロールを、左右方向の両側から回転可能に保持する。
【００２４】
＜第１当接部５＞
図４に示すように、第１当接部５１は、開口部２Ａを形成する各端部のうち、右壁部２３の端部２３Ａの湾曲部２３１近傍に設けられる。第１当接部５１は、右壁部２３の内壁に接続し、端部２３Ａよりも上側に突出する。第１当接部５１は板状である。第１当接部５１の各面は左右方向を向く。第１当接部５１のうち右壁部２３側と反対側の端部、言い換えれば、第１当接部５１の上端部５１Ａは、湾曲部２３１と平行に延びるように湾曲する。以下、右壁部２３の端部２３Ａと第１当接部５１の上端部５１Ａとの間の長さを、「第１長さＬ１」という。上端部５１Ａの右上の角の稜線は、Ｃ面取りされている（図１２参照）。第１当接部５１の前側の端部は、端部２３Ａの前後方向略中央よりも僅かに後側に配置される。第１当接部５１の後側の端部は、端部２３Ａの後側の端部よりも僅かに前側に配置される。
【００２５】
第１当接部５２は、開口部２Ａを形成する各端部のうち、左壁部２４の端部２４Ａの湾曲部２４１近傍に設けられる。第１当接部５２は、左壁部２４の内壁に接続し、端部２４Ａよりも上側に突出する。第１当接部５２は、第１当接部５１と対称関係を有する。第１当接部５２の上端部５２Ａは、第１当接部５１の上端部５１Ａに対応する。以下、第１当接部５１、５２を総称して、「第１当接部５」という。第１当接部５は、開口部２Ａを挟んで左右両側に設けられる。第１当接部５は、開口部２Ａの前後方向略中央よりも後側に設けられ、前後方向に延びる。
【００２６】
＜規制機構９＞
メインシャーシの支持部７は、規制機構９を支持する。規制機構９は、規制部材９１、９２を有する。規制部材９１、９２は、板状の部材である。規制部材９１、９２の各面は、左右方向を向く。規制部材９１は、内壁部２７の右側の端部近傍に配置され、規制部材９２は、内壁部２７の左側の端部近傍に配置される。規制部材９１、９２は、左右方向に離隔する。規制部材９１の上側の端部に、前側に突出する突出部９１Ａが設けられる。規制部材９２の上側の端部に、前側に突出する突出部９２Ａが設けられる。突出部９１Ａ、９２Ａの上側の端部は、後側から前側に向かって斜め下方向に傾斜する。規制部材９１、９２は、下側の端部に設けられた非図示の連結部によって連結する。
【００２７】
図５に示すように、規制部材９１の下側の端部は、支持部７Ａに保持された軸部７０Ａに回転可能に支持される。軸部７０Ａは左右方向に延びる。レバー２３Ｌ（図１参照）の左側面に設けられた突出部２３０Ｌは、レバー２３Ｌに対する操作に応じて上下動する。突出部２３０Ｌの上下動に応じ、左右方向に延びる軸部７０Ｂは上下動する。軸部７０Ｂの左側の端部は、規制部材９１の後側の端部に設けられた非図示の穴に挿通する。軸部７０Ｂが上下動することに応じ、規制部材９１は、軸部７０Ａを中心として回転する。なお、規制部材９１の回転に応じ、規制部材９２も同じ方向に回転する。規制部材９１、９２は、非図示のばねによって、右側から見た状態で反時計回りの方向に付勢されている。
【００２８】
なお、以下で説明する回転方向は、特段限定のない限り、右側から見た状態での方向（時計回り又は反時計回り）を示すものとする。規制部材９１、９２がばねの付勢力に応じて反時計回り方向に回転した状態を、「制限状態」（図４、図５参照）という。規制部材９１、９２がばねの付勢力に反して時計回り方向に回転した状態を、「非制限状態」という。
【００２９】
レバー２３Ｌが上側に移動した場合、規制部材９１、９２は反時計回り方向に回転し、突出部９１Ａ、９２Ａは前側に移動する。レバー２３Ｌが最上位まで移動した状態で、規制部材９１、９２は制限状態になる。図４に示すように、制限状態において、突出部９１Ａは、支持部７Ａの上側の端部に設けられた凹部７１Ａの上側に配置される。突出部９２Ａは、支持部７Ｂの上側の端部に設けられた凹部７２Ａの上側に配置される。一方、レバー２３Ｌが下側に移動した場合、規制部材９１、９２は時計回り方向に回転し、突出部９１Ａ、９２Ｂは後側に移動する。レバー２３Ｌが最下位まで移動した状態で、規制部材９１、９２は非制限状態になる。突出部９１Ａは、支持部７Ａの凹部７１Ａに対して後側に配置される。突出部９１Ｂは、支持部７Ｂの凹部７２Ａに対して後側に配置される。
【００３０】
＜第２カバー３＞
図１及び図２に示すように、第２カバー３は、開口部２Ａを上側から覆う位置と覆わない位置との間で開閉可能である。以下、第２カバー３が開口部２Ａを覆った状態（図１参照）を、「第２カバー３が閉じた状態」又は「閉塞状態」という。第２カバー３が開口部２Ａを覆わない状態（図２参照）を、「第２カバー３が開いた状態」又は「開放状態」という。以下の説明では、第２カバー３が閉じた状態（図１参照）を前提とし、印刷装置１の各方向を第２カバー３に適用して説明する。又、第２カバー３の下側を「第２カバー３の内側」ともいい、第２カバー３の上側を「第２カバー３の外側」ともいう。図６に示すように、第２カバー３は、蓋板部３１、及び、側板部３３、３４を有する。
【００３１】
蓋板部３１は、第１部分３１Ａ及び第２部分３１Ｂを有する。第１部分３１Ａは湾曲した板状であり、第２部分３１Ｂは平板状である。第１部分３１Ａは、第１カバー２の２つの軸部２５２（図４参照）がそれぞれ挿通される穴を含む突出部３１１を、後側の端部に有する。第２部分３１Ｂは、第１部分３１Ａの前側の端部から前側に向けて延びる。
【００３２】
図１に示すように、蓋板部３１は、第１部分３１Ａ及び第２部分３１Ｂに亘る部分に、矩形状の開口穴３１２を有する。図６に示すように、蓋板部３１の内壁、且つ、開口穴３１２の周囲の部分に、透明板３１３が設けられる。透明板３１３は、四隅を螺子３１３Ａで固定されている。透明板３１３は、開口穴３１２を内側から覆う。透明板３１３は、下側に突出する４つの突出板３１３Ｂを有する。各突出板３１３Ｂの下側の端部は、円弧状に湾曲する。
【００３３】
第２部分３１Ｂの内壁の前側の端部近傍に、プラテンホルダ６８が設けられる。プラテンホルダ６８は、左右両側を螺子６８１Ａで固定されている。プラテンホルダ６８は、前側の端部の左右両側に軸保持部６８Ａを有する。図７に示すように、各軸保持部６８Ａは、後側に向けて凹んだ凹部６８Ｂを有する。プラテンホルダ６８は、後述するプラテン体６０を回転可能に保持する。
【００３４】
図６に示すように、側板部３３は、蓋板部３１の右側に接続する。側板部３３は、第１部分３３Ａ及び第２部分３３Ｂを有する。第１部分３３Ａは、蓋板部３１の右側の端部から下側に湾曲しながら延びる。第２部分３３Ｂは、第１部分３３Ａの下側の端部から、蓋板部３１と直交する方向に延びる。側板部３４は、蓋板部３１の左側に接続する。側板部３４は、第１部分３４Ａ及び第２部分３４Ｂを有する。第１部分３４Ａは、蓋板部３１の左側の端部から下側に湾曲しながら延びる。第２部分３４Ｂは、第１部分３４Ａの下側の端部から、蓋板部３１と直交する方向に延びる。
【００３５】
以下、図７に示すように、側板部３３、３４のそれぞれの上下方向の長さを、「第２長さＬ２」という。第２長さＬ２は、蓋板部３１から、側板部３３、３４の第２部分３３Ｂ、３４Ｂのそれぞれの先端までの上下方向の長さに対応する。第１部分３３Ａ、３４Ａのそれぞれの上下方向の長さを、「部分長さＬ２１」という。第２部分３３Ｂ、３４Ｂのそれぞれの上下方向の長さを、「部分長さＬ２２」という。部分長さＬ２２は、部分長さＬ２１よりも僅かに長い。部分長さＬ２１、Ｌ２２を加算した値は、第２長さＬ２と等しい。第２長さＬ２は、第１長さＬ１（図２参照）の略２倍である。
【００３６】
＜第２当接部８＞
図６、図８に示すように、側板部３３の第２部分３３Ｂに第２当接部８１が設けられる。第２当接部８１は、第２部分３３Ｂの左側面（以下、「第２部分３３Ｂの内壁」という。）のうち、前後方向中央よりも前側の部分から、左側に向けて突出する。第２当接部８１は、第２部分３３Ｂの内壁から左側に向けて延び且つ前後方向に離隔する２つの第１板状部、及び、２つの板状部のそれぞれの左側の端部の間に亘って前後方向に延びる第２板状部を有する。側板部３３の第２部分３４Ｂに第２当接部８２が設けられる。第２当接部８２は、第２部分３４Ｂの右側面（以下、「第２部分３４Ｂの内壁」という。）のうち、前後方向中央よりも前側の部分から、右側に向けて突出する。第２当接部８２は、第２当接部８１と対称関係を有する。以下、第２当接部８１、８２を総称して、「第２当接部８」という。第２当接部８は、第２カバー３の左右両側に設けられる。
【００３７】
＜プラテン体６０＞
図７に示すように、プラテン体６０は、プラテン６１、プラテン軸６２、プラテン軸受６３、６４、及び、ギア６５を有する。プラテン６１は、左右方向に延びる円柱状の部材である。プラテン軸６２は、プラテン６１よりも径の小さい円柱状の部材である。プラテン軸６２は左右方向に延び、プラテン６１の中心を左右方向に貫通する。プラテン軸６２の左右両端は、プラテン６１の左右両端から外側に向けて突出する。プラテン６１はプラテン軸６２に固定される、
【００３８】
図９に示すように、プラテン軸受６３は、プラテン軸６２のうち、プラテン６１から右側に突出する部分に設けられる。プラテン軸受６３は、プラテン軸６２よりも径の大きい円柱状の部材である。プラテン軸６２は、プラテン軸受６３の中心を左右方向に貫通する貫通穴に、左側から挿通する。プラテン軸受６３は、プラテン軸６２に対して回転可能である。プラテン軸６２の右側の端部に係止される止め輪６２Ａは、プラテン軸６２からプラテン軸受６３が外れることを防止する。
【００３９】
図７に示すように、プラテン軸受６４は、プラテン軸６２のうち、プラテン６１から左側に突出する部分に設けられる。プラテン軸受６４は、プラテン軸受６３と同一形状を有する。ギア６５は、プラテン軸受６４の左側に設けられる。ギア６５は、プラテン軸受６４よりも径の大きい平歯車である。ギア６５は、プラテン軸６２の左側の端部に固定される。
【００４０】
図９に示すように、プラテン軸受６３の左側略半分の部分は、プラテンホルダ６８の右側の軸保持部６８Ａの凹部６８Ｂに係合する。図７に示すように、プラテン軸受６４の右側略半分の部分は、プラテンホルダ６８の左側の軸保持部６８Ａの凹部６８Ｂに係合する。プラテン軸受６３、６４は、軸保持部６８Ａの凹部６８Ｂに係合した状態で、プラテン６１を回転可能に保持する。
【００４１】
＜第２カバー３の開閉動作＞
図２に示すように、第２カバー３は、突出部３１１の穴に挿通された軸部２５２を中心として、第１カバー２に回転可能に支持される。軸部２５２に装着されたばね２５３（図４参照）は、閉塞状態（図１参照）から開放状態（図２参照）に向けて第２カバー３を付勢する。ばね２５３の付勢力に逆らって第２カバー３が反時計回り方向に回転した場合、第２カバー３は第１カバー２の開口部２Ａを上側から覆い、閉塞状態（図１参照）になる。図１に示すように、閉塞状態において、第１カバー２の上壁部２１の端部２１Ａと第２カバー３の蓋板部３１の第２部分３１Ｂの前側の端部とは近接する。それぞれの間に排出口２０が形成される。印刷装置１の内部で印刷された印刷媒体は、排出口２０を介して外部に排出される。
【００４２】
図１０に示すように、閉塞状態において、第２カバー３（図６参照）のプラテン６１は、収容部４０の内壁部２７（図４参照）に設けられたサーマルヘッド２１Ｐ（図４参照）の後側に近接する。プラテン６１は、サーマルヘッド２１Ｐとの間に印刷媒体が配置された場合、サーマルヘッド２１Ｐに印刷媒体を押し付けることが可能となる。プラテン６１の左側のギア６５は、第１カバー２のメインシャーシに設けられたギア７０（図３参照）に噛み合う。非図示のモータの回転に応じてギア７０が回転した場合、ギア６５及びプラテン６１は連動して回転する。この場合、プラテン６１は、サーマルヘッド２１Ｐに印刷媒体を押し付けながら、排出口２０に向けて印刷媒体を搬送することが可能となる。
【００４３】
図１１に示すように、プラテン６１（図１０参照）の右側のプラテン軸受６３は、メインシャーシの支持部７Ａの凹部７１Ａに上側から係合する。制限状態の規制部材９１の突出部９１Ａは、プラテン軸受６３に上側から接触する。図１０に示すように、プラテン６１の左側のプラテン軸受６４は、メインシャーシの支持部７Ｂの凹部７２Ａ（図４参照）に上側から係合する。制限状態の規制部材９２の突出部９２Ａは、プラテン軸受６４に上側から接触する。これらによって、プラテン体６０の上側に向かう移動は規制機構９によって制限される。規制機構９は、第２カバー３を閉塞状態で維持し、ばね２５３の付勢力によって第２カバー３が開放状態に向けて回転することを制限する。
【００４４】
図１２に示すように、閉塞状態において、第１カバー２の第１当接部５は第２カバー３側に突出する。第２カバー３の側板部３３の第２部分３３Ｂ、及び、側板部３４の第２部分３４Ｂは、それぞれ、蓋板部３１側から第１カバー２側に突出する。第１カバー２の右壁部２３の端部２３Ａと、第２カバー３の側板部３３の第２部分３３Ｂの下側の端部とは、近接する。第１カバー２の第１当接部５１は、第２カバー３の側板部３３の第２部分３３Ｂの内壁の左側に配置される。同様に、第１カバー２の左壁部２４の端部２４Ａと第２カバー３の側板部３４の第２部分３４Ｂの下側の端部とは、近接する。第１カバー２の第１当接部５２は、第２カバー３の側板部３４の第２部分３４Ｂの内壁の右側に配置される。
【００４５】
図１１に示すように、閉塞状態において、第２カバー３の第２当接部８１は、第１カバー２の第１当接部５１の前側の端部の前側、且つ、第１カバー２の右壁部２３の端部２３Ａの上側に配置される。図示されていないが、第２カバー３の第２当接部８２（図６参照）は、第１カバー２の第１当接部５２（図１０参照）の前側の端部の前側、且つ、第１カバー２の左壁部２４の端部２４Ａ（図１０参照）の上側に配置される。
【００４６】
一方、閉塞状態において、レバー２３Ｌ（図１参照）を下側に移動させる操作が行われ、規制部材９１、９２が非制限状態となった場合を例示する。この場合、規制部材９１の突出部９１Ａは、支持部７Ａの凹部７１Ａに対して後側に配置され、規制部材９２の突出部９２Ａは、支持部７Ｂの凹部７２Ａに対して後側に配置される。プラテン軸受６３、６４の上側に向かう方向は、規制機構９によって制限されない状態になる。第２カバー３は、ばね２５３の付勢力によって時計回り方向に回転する。第２カバー３が時計回り方向に回転した場合、第１カバー２は開放状態（図２参照）になる。 
【００４７】
＜本実施形態の主たる作用、効果＞
使用者が印刷装置１の後壁部２５を下側に向けた状態で使用している最中に、印刷装置１を落下させた場合を例示する。この場合、落下の衝撃が第１カバー２の後壁部２５に直接作用する。具体的には、図１３に示すように、第１カバー２に対し、後壁部２５から前壁部２２に向かう方向の力Ｆ１１が作用する。力Ｆ１１を受けた後壁部２５が前方向に変形することにより、第１カバー２の開口部２Ａ（図２参照）の左右両側の端部２３Ａ、２４Ａ（図２参照）に対して、外側に変形しようとする力Ｆ１２が作用する。
【００４８】
例えば、第１当接部５（図２参照）が設けられない従来の印刷装置において、上記の力Ｆ１２が第１カバー２に作用した場合、図１４に示すように、右壁部２３は外側に変形する可能性がある。図示されていないが、左壁部２４についても同様である。特に、右壁部２３にはレバー穴２３Ｈが設けられているので、その分、右壁部２３の強度は弱くなっている。このため、右壁部２３が変形した場合、レバー穴２３Ｈから、メインシャーシに支持されたレバー２３Ｌが内側に外れる可能性がある。更に、レバー２３Ｌに対して右壁部２３が、力Ｆ１１の方向に沿って相対移動した場合、右壁部２３の内側にレバー２３Ｌが入り込んでしまう可能性がある。
【００４９】
これに対し、本実施形態の印刷装置１では、第１カバー２の右壁部２３に第１当接部５１が設けられ、左壁部２４に第１当接部５２が設けられる。閉塞状態において、第１当接部５１は、第２カバー３の側板部３３の第２部分３３Ｂの内壁の左側に配置され、第１当接部５２は、第２カバー３の側板部３４の第２部分３４Ｂの内壁の右側に配置される。この場合、上記のように第１カバー２の開口部２Ａに力Ｆ１２が作用した場合、第１カバー２の第１当接部５１は、第２カバー３の側板部３３の第２部分３３Ｂの内壁に左側から当接し、第１カバー２の第１当接部５２は、第２カバー３の側板部３４の第２部分３４Ｂの内壁に右側から当接する。この場合、図１３に示すように、Ｆ１２が作用した場合でも第１カバー２の端部２３Ａ、２４Ａの外側への移動が規制されるので、開口部２Ａの変形は抑制される。このように、印刷装置１は、落下の衝撃で第１カバー２が変形することを、第１当接部５によって抑制できる。
【００５０】
第１カバー２に力Ｆ１１が作用した場合、開口部２Ａの後側即ち端部２５Ａ側の方が、前側即ち端部２２Ａ側よりも、強度が弱く変形しやすい。これに対し、印刷装置１において、第１当接部５は、開口部２Ａの前後方向略中央よりも後側、言い換えれば、開口部２Ａのうち端部２３Ａ、２４Ａの延びる方向の略中央よりも端部２５Ａ側に設けられる。つまり、第１当接部５は、開口部２Ａのうち強度が弱く変形しやすい部分に設けられていることになる。このため、印刷装置１は、より変形しやすい開口部２Ａの部位が変形することを、第１当接部５によって抑制できる。
【００５１】
第１当接部５１、５２は、それぞれ、開口部２Ａの左右両側に設けられる。従って、印刷装置１は、第１カバーに力Ｆ１１が作用した場合において、第１カバー２の開口部２Ａの左右両側に力Ｆ１２が作用することに応じて、開口部２Ａの左右両側が外側に変形することを、第１当接部５１、５２によって効果的に抑制できる。
【００５２】
印刷装置１において、第１長さＬ１は、第２長さＬ２の略半部である。第１長さＬ１は、右壁部２３の端部２３Ａと第１当接部５１の上端部５１Ａとの間、及び、左壁部２４の端部２４Ａと第１当接部５２の上端部５２Ａとの間のそれぞれの長さに対応する。第２長さＬ２は、蓋板部３１から、側板部３３、３４の第２部分３３Ｂ、３４Ｂのそれぞれの先端までの長さに対応する。この場合、印刷装置１は、第２カバー３の側板部３３、３４のうち第１当接部５と前後方向において重複する部分において、側板部３３、３４の内壁の略半分の領域に、第１当接部５１、５２を当接させることができる。つまり、印刷装置１は、側板部３３、３４のうち第１当接部５と前後方向において重複する部分において、第１当接部５１、５２が当接する部分の面積を、全体面積の略半分とすることができる。従って、印刷装置１は、第１カバー２の開口部２Ａに力Ｆ１２が作用することに応じて、開口部２Ａが左右方向の外側に変形することを、第１当接部５１、５２と側板部３３、３４との当接部分によって効果的に抑制できる。
【００５３】
第１当接部５１の上端部５１Ａの右上の角の稜線、及び、第１当接部５２の上端部５２Ａの左上の角の稜線は、Ｃ面取りされている。この場合、開放状態にある第２カバー３を閉塞状態とするときに、第２カバー３は、第１当接部５の面取り部分によって案内される。従って、印刷装置１は、開放状態にある第２カバー３を、第１当接部５に引っ掛けることなくスムーズに閉塞状態とすることができる。
【００５４】
使用者が印刷装置１の後壁部２５を下側に向けた状態で落下させた場合、図１３に示すように、第２カバー３に作用する重力は、蓋板部３１の第２部分３１Ｂから第１部分３１Ａに向かう方向の力Ｆ２１として第２カバー３に作用する。一方、上記のように、第１カバー２に対して力Ｆ１１が第１カバー２に作用する。この場合、第２カバー３は第１カバー２に対し、力Ｆ２１の方向に沿って相対移動しようとする。しかし、プラテンホルダ６８に保持されたプラテン体６０の、力Ｆ２１の方向への相対移動は、規制部材９１、９２、及び、メインシャーシの支持部７の凹部７１Ａ、７１Ｂ（図１１等参照）によって規制される。このため、第２カバー３の力Ｆ２１の方向への相対移動に応じ、プラテンホルダ６８の凹部６８Ｂ（図７参照）からプラテン軸受６３、６４が前側に外れ、プラテンホルダ６８からプラテン体６０が脱離する可能性がある。
【００５５】
これに対し、印刷装置１では、図１１に示すように、第２当接部８が第１当接部５に対して前側に配置される。第２カバー３が第１カバー２に対して力Ｆ２１の方向に相対移動した場合、第２当接部８は、第１当接部５の前側の端部に前側から当接する。このため、第２カバー３が力Ｆ２１の方向に沿って移動することは抑制される。従って、印刷装置１は、プラテンホルダ６８からプラテン体６０が外れることを、第１当接部５及び第２当接部８によって抑制できる。
【００５６】
第１当接部５は、第１カバー２の開口部２Ａの変形を抑制すると同時に、第２当接部８に接触することによってプラテンホルダ６８からプラテン体６０が脱離することを抑制する。印刷装置１は、第２当接部８が当接する対象として、第１カバー２の開口部２Ａの変形を抑制する第１当接部５を利用する。これによって、印刷装置１は、第２当接部８が当接する対象を新たに設ける必要が無いので、構成を単純化できる。
【００５７】
第２当接部８は、第２カバー３の左右両側に設けられる。この場合、印刷装置１は、第２カバー３が力Ｆ２１の方向に相対移動することを、第２カバー３の左右両側で抑制できる。従って、印刷装置１は、第２カバー３が相対移動することを適切に抑制することによって、プラテンホルダ６８からプラテン体６０から外れることを効果的に抑制できる。
【００５８】
＜変形例＞
本発明は上記実施形態に限定されず、種々の変更が可能である。印刷装置１の印刷方式は感熱方式に限定されず、他の方式（例えば、熱転写式、インクジェット方式等）であってもよい。閉塞状態において、第１カバー２の第１当接部５１と、第２カバー３の側板部３３の第２部分３３Ｂとは、互いに接触してもよいし、双方の間に僅かな隙間が形成されてもよい。同様に、閉塞状態において、第１カバー２の第１当接部５２と、第２カバー３の側板部３４の第２部分３４Ｂとは、互いに接触してもよいし、双方の間に僅かな隙間が形成されてもよい。又、閉塞状態において、第１カバー２の第１当接部５１と第２カバー３の第２当接部８１とは、互いに接触してもよいし、双方の間に僅かな隙間が形成されてもよい。同様に、閉塞状態において、第１カバー２の第１当接部５２と第２カバー３の第２当接部８２とは、互いに接触してもよいし、双方の間に僅かな隙間が形成されてもよい。
【００５９】
第１当接部５１は、開口部２Ａの右側の端部２３Ａの全域に亘って設けられてもよいし、端部２３Ａのうち前後方向中央よりも前側にのみ設けられてもよい。更に、複数の第１当接部５１が端部２３Ａに設けられてもよい。複数の第１当接部５１は、前後方向に間隔を空けて配列してもよい。なお、第１当接部５２についても同様である。
【００６０】
開口部２Ａを上側から見たときの形状は、略矩形状に限定されず、他の任意の形状であってもよい。例えば、開口部２Ａを形成する端部２１Ａ、２３Ａ、２４Ａ、２５Ａの少なくとも何れかは湾曲してもよい。第１当接部５は、第１当接部５１、５２の何れか一方のみであってもよい。例えば、印刷装置１は、レバー穴２３Ｈが形成された右壁部２３にのみ、第１当接部５１を有し、左壁部２４に第１当接部５２は設けられなくてもよい。
【００６１】
印刷装置１において、第１カバー２の第１当接部５の第１長さＬ１は、第２カバー３の側板部３３、３４の第２長さＬ２の略半部でなくてもよい。例えば、第１長さＬ１を、側板部３３、３４の第２部分３３Ｂ、３４Ｂのそれぞれの上下方向の部分長さＬ２２と略同一としてもよい。又、第１カバー２の第１当接部５１の形状を、第２カバー３の第１部分３３Ａ及び第２部分３３Ｂを含む側板部３３の内壁と略同一形状としてもよい。この場合、閉塞状態において、第１当接部５１は、側板部３３の内壁の上下方向全域に亘って当接可能となる。この場合、第１長さＬ１と第２長さＬ２とは略同一となる。なお、第１当接部５２についても同様である。
【００６２】
第１当接部５の上側の面取り形状は、Ｃ面取りに限定されずＲ面取りでもよい。又、例えば第１当接部５の先端が内側に曲折してもよい。この場合、第１当接部５の上側が面取りされていなくても、第２カバー３を閉じる場合において第１当接部５が第２カバー３に引っ掛かることを抑制できる。
【００６３】
プラテンホルダ６８は、軸保持部６８Ａの凹部６８Ｂにプラテン軸６２を係合させることによって、プラテン体６０を回転可能に保持してもよい。この場合、プラテン体６０にプラテン軸受６３、６４は設けられていなくてもよい。第２カバー３の第２当接部８は、第１カバー２のうち第１当接部５と異なる部位に当接可能であってもよい。例えばメインシャーシの支持部７に、第２当接部８に当接する部位が新たに設けられてもよい。第２当接部８は、第２当接部８１、８２の何れか一方のみであってもよい。第２当接部８は設けられなくてもよい。
【００６４】
＜その他＞
印刷装置１の前後方向は、本発明の「第１方向」の一例である。印刷装置１の下側は、本発明の「第１方向の一方側」の一例である。印刷装置１の上側は、本発明の「第１方向の他方側」の一例である。印刷装置１の左右方向は、本発明の「第２方向」の一例である。印刷装置１の上下方向は、本発明の「第３方向」の一例である。サーマルヘッド２１Ｐは、本発明の「感熱ヘッド」の一例である。
【符号の説明】
【００６５】
１        ：印刷装置
２        ：第１カバー
２Ａ      ：開口部
３        ：第２カバー
５、５１、５２      ：第１当接部
８、８１、８２      ：第２当接部
１０      ：筐体
２０      ：排出口
２１      ：上壁部
３１      ：蓋板部
３３、３４      ：側板部
４０      ：収容部
【図１】
2018034357.tif 000003
【図２】
2018034357.tif 000004
【図３】
2018034357.tif 000005
【図４】
2018034357.tif 000006
【図５】
2018034357.tif 000007
【図６】
2018034357.tif 000008
【図７】
2018034357.tif 000009
【図８】
2018034357.tif 000010
【図９】
2018034357.tif 000011
【図１０】
2018034357.tif 000012
【図１１】
2018034357.tif 000013
【図１２】
2018034357.tif 000014
【図１３】
2018034357.tif 000015
【図１４】
2018034357.tif 000016